(57)【要約】【課題】がたつきを調整しやすい回転止めを有するアバットメントを提供する。【解決手段】一端がインプラントフィクスチャーに固定され、他端が歯科補綴物に固定される筒状のアバットメント（１２）であって、歯科補綴物に固定されるべき側の外周部には、周方向に延びる帯状の突起である帯状突起（１４）が形成されており、帯状突起には、少なくとも２つの部位において突出量が小さくされて切り欠き（１４ａ、１４ｂ）が形成されている。【選択図】図４
2018033678.tif 000002
【特許請求の範囲】
【請求項１】
一端がインプラントフィクスチャーに固定され、他端が歯科補綴物に固定される筒状のアバットメントであって、
前記歯科補綴物に固定されるべき側の外周部には、周方向に延びる帯状の突起である帯状突起が形成されており、
前記帯状突起には、少なくとも２つの部位において突出量が小さくされて切り欠きが形成されている、アバットメント。
【請求項２】
隣り合う前記切り欠きの間は間部とされ、該間部は前記筒状であるアバットメントの軸線に直交する断面において中心角が１００度以下となる大きさである、請求項１に記載のアバットメント。
【請求項３】
前記切り欠きが３つ以上形成されている請求項１又は２に記載のアバットメント。
【請求項４】
前記アバットメントが挿入される穴を有する歯科補綴物と、
請求項１乃至３のいずれかに記載のアバットメントと、を有し、
前記穴には、前記アバットメントの前記切り欠きが係合する突出部が設けられている、歯科用インプラント。
【発明の詳細な説明】
【技術分野】
【０００１】
本発明は歯科用インプラントを構成する一つの部材であるアバットメント、及びこのアバットメントを用いた歯科用インプラントに関する。
【背景技術】
【０００２】
歯を全顎的又は部分的に喪失した場合の治療手段として、機能性、審美性、操作性等の多くの点で利点を有する歯科用インプラント治療が広く普及している。この歯科用インプラントには、顎骨内に埋入されたインプラントフィクスチャー（人工歯根）の口腔内側に嵌合され、かつ中心軸と同軸となるように設けられている貫通穴に貫通されるボルトでインプラントフィクスチャーに固定されるアバットメントが備えられている。そしてこのアバットメントを介して歯科補綴物がインプラントフィクスチャーに対して正確な位置に接着固定される。
【０００３】
このような歯科用インプラントについて、歯科技工士の負担を軽減しながらも安定した品質の歯科補綴物を短時間により多く作製する方法として、近年では歯科用ＣＡＤ／ＣＡＭシステムが採用されている。この歯科用ＣＡＤ／ＣＡＭシステムでは、三次元計測装置やコンピュータ等を用いてインレー、クラウン、ブリッジ、コーピング等の歯科補綴物の三次元形状データを作成し、この歯科補綴物の三次元形状データに基づいて自動切削加工機により切削ブロックを切削加工して歯科補綴物を作製する。
【０００４】
この歯科用ＣＡＤ／ＣＡＭシステムで、歯科補綴物を作製する場合には、インレーやクラウンの作製とは異なる技術が必要である。即ち、歯科用インプラント用の歯科補綴物では、インレーやクラウン等の歯科補綴物とは異なり、その歯科補綴物は、設計通りの位置にアバットメントに固定されなければならない。
【０００５】
従来このように歯科用ＣＡＤ／ＣＡＭシステムで作製される歯科用インプラント用の歯科補綴物は、金属製のものが使用されていたので、強度的に問題がないため、アバットメントの正確な位置に外嵌できるように作製すればよかった。ところが、近年歯科用インプラント治療後の歯肉の減退時にも美観を損なうことがないように、歯科用インプラントのための歯科補綴物がジルコニア等のセラミックスで作製されるようになってきた。
【０００６】
しかしながら、切削ブロックの材質としてジルコニア等のセラミックスを使用すると、このセラミックス製の切削ブロックは焼き固めた焼結体であり、その焼結後に起こる収縮の程度が場所によって異なるため、焼結後にアバットメントの正確な位置に外嵌できるように形成することが難しいという問題があった。また、アバットメントに外嵌させる部位の強度がセラミックス製では不足する虞があるという問題もあった。
【０００７】
これに対して特許文献１には、予めインプラントフィクスチャーに嵌合させる嵌合部が形成されている別部品を作製し、歯科補綴物用の切削ブロックに予め形成されているか又はこの切削ブロックを歯科補綴物へと切削加工する際に成形される埋入孔に、この別部品の埋入部を埋入させて固定し、インプラントフィクスチャーに嵌合させる嵌合部を突設させた状態にして使用する連結体が開示されている。
【０００８】
ところが、特許文献１ように別部品を使用する場合、切削ブロックに対して別部品を強固に固定する必要があり、例えばアバットメント等の別部品と、切削ブロックに予め形成等される埋入孔とを高い精度で切削加工して、アバットメント等の別部品の埋入部を切削ブロックの埋入孔に挿入して強固に歯科接着剤等で接着固定する必要がある。これは、ジルコニアのようなセラミックス製の切削ブロックの場合には、嵌合部の強度が不足する虞があるため、アバットメント等の別部品の埋入部に設けた突起部に切削ブロックの埋入孔に設けた凹部を嵌合させただけでは切削ブロックの破損を防ぐことができない場合が多いからである。
【０００９】
このような接着固定をする場合において重要となるのは、切削ブロックに形成された埋入孔と、アバットメント等の埋入部との間に、歯科接着剤用の間隙を確実に確保することと、アバットメント等の埋入部を切削ブロックの埋入孔内で位置固定することができることである。即ち、塗布された歯科接着剤が厚すぎると十分な接着強度が得られないので、歯科接着剤が均一の所望の薄さの層となるような間隙を確実に形成させる必要がある。しかしながら、例えば円筒形状の埋入孔と、円柱状の埋入部とを切削加工し、その埋入孔の内面や埋入部の外周面に歯科接着剤を塗布して、埋入孔に埋入部を挿入しただけでは、径の小さい埋入部が径の大きな埋入孔内で自由に動いてしまう。そのため、埋入孔の内面と埋入部の外周面との間で、略全周に亘って均一の薄さの歯科接着剤の層を形成させることは非常に難しい。従って、アバットメント等の埋入部を切削ブロックの埋入孔内で位置固定することができることが必要である。
【００１０】
かかる観点から、特許文献２には、その埋入部が切削ブロックの埋入孔内で位置固定されると共に、その埋入部の外周面と切削ブロックの埋入孔の内面との間に、略全周に亘って均一な歯科接着剤用の間隙を形成させることができる歯科用アバットメントが開示されている。そのために、歯科用アバットメントを、口腔内側に先太り状の截頭円錐状に形成された歯肉当接部と、歯肉当接部の顎骨側当接面から顎骨側に向けて突設されておりインプラントフィクスチャーの口腔内側の端部に回転しないように嵌入される嵌合部と、セラミックス製の切削ブロックの埋入孔に埋入される埋入部とから形成させ、切削ブロックの埋入孔の内面と埋入部の外周面との間に略全周に亘って均一な歯科用接着剤用の間隙を形成する突起条部を埋入部の外周面上に３つ以上形成させることが記載されている。
【先行技術文献】
【特許文献】
【００１１】
【特許文献１】特開２００７−２２２２２５号公報
【特許文献２】特開２０１２−２４５３２２号公報
【発明の概要】
【発明が解決しようとする課題】
【００１２】
しかしながら、特許文献２に記載の発明では、形状に若干のばらつきがある歯科補綴物に対して、回転止めとしても作用する３つの突起条部を精度よく形成することが難しく、がたつきを生じてしまう問題があった。また、歯科補綴物とアバットメントとの嵌め合いを調整する際にも手間がかかる問題があった。
【００１３】
そこで本発明は、上記問題に鑑み、がたつきを調整しやすい回転止めを有するアバットメントを提供することを課題とする。また、このアバットメントを具備する歯科用インプラントを提供する。
【課題を解決するための手段】
【００１４】
以下、本発明について説明する。ここでは分かり易さのため、図面に付した参照符号を括弧書きで併せて記載するが、本発明はこれに限定されるものではない。
【００１５】
本発明の１つの態様は、一端がインプラントフィクスチャー（１１）に固定され、他端が歯科補綴物（２１）に固定される筒状のアバットメント（１２）であって、歯科補綴物に固定されるべき側の外周部には、周方向に延びる帯状の突起である帯状突起（１４）が形成されており、帯状突起には、少なくとも２つの部位において突出量が小さくされて切り欠き（１４ａ、１４ｂ）が形成されている、アバットメントである。
【００１６】
隣り合う切り欠き（１４ａ、１４ｂ）の間は間部（１４ｄ）とされ、該間部は筒状であるアバットメントの軸線に直交する断面において中心角が１００度以下となる大きさとすることができる。
【００１７】
切り欠きは３つ以上形成されてもよい。
【００１８】
また、アバットメント（１２）が挿入される穴（２２）を有する歯科補綴物（２１）と、上記アバットメントと、を有し、穴には、アバットメントの切り欠き（１４ａ、１４ｂ、１４ｃ）が係合する突出部（２２ａ、２２ｂ、２２ｃ）が設けられている、歯科用インプラント（１０）を提供することができる。
【発明の効果】
【００１９】
本発明によれば、接着剤を挿入する間隙を形成する帯状突起に、回転止めと機能する切り欠きを形成し、さらに隣り合う切り欠きの間（間部）、及び切り欠きの少なくとも１つを削ることによりアバットメントと歯科補綴物とのがたつきをなくすように嵌め合わせることができる。従って、がたつきを調整しやすい回転止めとすることができる。
【図面の簡単な説明】
【００２０】
【図１】歯科用インプラント１０の外観図である。
【図２】歯科用インプラント１０の断面図である。
【図３】歯科用インプラント１０の分解図である。
【図４】帯状突起１４を説明する図である。
【図５】図４の一部を拡大した図である。
【図６】穴２２を説明する図である。
【図７】歯科補綴物２１の断面図である。
【図８】歯科補綴物２１の他の断面図である。
【図９】図９（ａ）は間部１４ｄを削った例、図９（ｂ）は第一の切り欠き１４ａ及び第二の切り欠き１４ｂを削った例である。
【発明を実施するための形態】
【００２１】
以下、図面を参照しつつ用いて歯科用アバットメント、及びこれを備える歯科用インプラントの形態についてさらに詳しく説明する。ただし本発明はこれら形態に限定されるものではない。
【００２２】
図１は１つの形態に係る歯科用インプラント１０の外観図、図２は歯科用インプラント１０の断面図である。また図３は歯科用インプラント１０の分解図である図３ではアバットメント締結用ネジ１３は省略している。
これらの図からかわるように、歯科用インプラント１０は、インプラントフィクスチャー１１、アバットメント１２、アバットメント締結用ネジ２０、及び歯科補綴物２１を備えている。
【００２３】
インプラントフィクスチャー１１は、人工歯根又はインプラント体とも呼ばれ、歯を喪失した部分の歯槽骨に埋入されて歯科用インプラント１０の全体を口腔内に適切に固定するための基礎となる部材である。ここでは公知のインプラントフィクスチャー１１を用いることができる。
図２からわかるように、インプラントフィクスチャー１１は、筒状であり、その外表面には顎骨に係合するための螺状溝１１ａが設けられている。一方、インプラントフィクスチャー１１の筒状の内側には、アバットメント締結用ネジ２０が螺合するメネジ１１ｂが形成されている。
【００２４】
アバットメント１２は、その顎骨側（図１では下端側）をインプラントフィクスチャー１１の筒状の内側に配置され、その口腔内側（図１では上端側）には人工歯冠等の歯科補綴物２１が取り付けられる。すなわち、アバットメント１２はインプラントフィクスチャー１１と歯科補綴物２１とを連結する部材として機能する。
【００２５】
アバットメント１２は円筒に近い筒状体であり、その内側にはアバットメント締結用ネジ１３が挿入できるように構成されている。より詳しくは、アバットメント１２は、インプラントフィクスチャー１１の内側に挿入される側の端部であるインプラントフィクスチャー挿入部１２ａ、及び、歯科補綴物２１の穴２２に挿入される側の端部である歯科補綴物挿入部１２ｂを有して構成されている。
【００２６】
そして、インプラントフィクスチャー挿入部１２ａには、図３に表れているように、インプラントフィクスチャー１１の内側の形態に係合してアバットメント１２が軸線中心に回転することを防ぐ回転止め１３が設けられている。
またアバットメント１２の筒状の内側ではインプラントフィクスチャー挿入部１２ａ側が狭くされており、ここに形成される段差にアバットメント締結用ネジ２０の頭２０ｃが引っ掛かるように構成されている。
【００２７】
一方、歯科補綴物挿入部１２ｂには、その外周に、該外周を一周するように帯状である帯状突起１４が設けられている。図４には、図３にＩＶ−ＩＶで示した線に沿った、帯状突起１４を含む歯科補綴物挿入部１２ｂの断面図（軸線に直交する方向）を表した。また、図５には、図４にＶで示した部位で、第一の切り欠き１４ａ、第二の切り欠き１４ｂ、及び間部１４ｄの部位に注目して拡大した図を表した。
図４からわかるように、帯状突起１４は歯科補綴物挿入部１２ｂの外周面において他の部位よりも帯状に突出しており、第一の切り欠き１４ａ、第二の切り欠き１４ｂ、及び第三の切り欠き１４ｃを含まない部位で、その外径（直径）が、ＤＯである。このＤＯが歯科補綴物２１の穴２２の内径ＤＩ（図６〜図８参照）と同じになるように構成されている。従って、歯科補綴物挿入部１２ｂの外周面のうち帯状突起１４以外の部分と、歯科補綴物２１の穴２２の内周面との間には間隙が形成され、ここが歯科用接着剤を充填する間隙として機能する。従って帯状突起は歯科用接着剤を充填する間隙を形成する部材としても機能する。
この帯状突起１４の突出量は特に限定されることはないが、０．０３ｍｍ以上０．１ｍｍ以下であることが好ましい。０．０３ｍｍより小さくなると皮膜厚さの薄いセメントでも十分な充填が困難になり、０．１ｍｍより大きいと皮膜厚さの厚いセメントであっても間隔が大きすぎる虞がある。
【００２８】
また、図４、図５からわかるように、帯状突起１４には、その突出量が減らされるように欠かれた２つの切り欠きである、第一の切り欠き１４ａ、及び第二の切り欠き１４ｂを有している。さらに本形態では、さらにもう１つの切り欠きである第三の切り欠き１４ｃを有して構成されている。
切り欠きかれる形態は特に限定されることはないが、本形態のように直線状であることが好ましい。これにより切り欠きを形成することが容易になる。
【００２９】
これら第一の切り欠き１４ａ、第二の切り欠き１４ｂ、及び第三の切り欠き１４ｃは、歯科補綴物２１の穴２２の内周面に設けられた第一の突出部２２ａ、第二の突出部２２ｂ、及び第三の突出部２２ｃに引っかかるように構成されている。これにより歯科補綴物２１が軸線中心に回転することを防ぐ回り止めとして機能する。
【００３０】
さらに、第一の切り欠き１４ａ及び第二の切り欠き１４ｂ、及び第一の切り欠き１４ａと第二の切り欠き１４ｂとの間に形成される間部１４ｄは、歯科補綴物２１の穴２２に嵌め込む際にその大きさを微調整するために削る調整部位として機能する。すなわち、歯科用補綴物挿入部１２ｂを歯科補綴物２１の穴２２に挿入する際に、がたつきが生じないように調整部位を削りつつ行う。
【００３１】
そのため、図４にθで示した間部１４ｄの大きさは、当該断面における中心角で０度より大きく１００度以下であることが好ましい。０度では間部１４ｄが形成されず調整部位として成り立たず、１００度より大きいと間部１４ｄが大きすぎて調整の際に削る手間が大きくなってしまうとともに、微調整がし難くなってしまう。より好ましくはθは６０度以下である。
【００３２】
また、図４にＡで示した第一の切り欠き１４ａ、及び第二の切り欠き１４ｂの最も深い位置における深さは、０．０３ｍｍ以上０．４５ｍｍ以下であることが好ましい。
また、図４にＢで示した第一の切り欠き１４ａ、及び第二の切り欠き１４ｂの長さは０．５ｍｍ以上２．５ｍｍ以下であることが好ましい。
【００３３】
このように、本発明では、回転止め及びがたつき防止のための調整部位を切り欠きにより形成し、削ることによって嵌め込みやがたつき防止の調整を行うことができるので、嵌め込みやがたつきを調整しやすい回転止めを有するアバットメントとすることができる。
【００３４】
図１〜図３に戻って、説明を続ける。アバットメント締結用ネジ２０は、図２によく表れているように、インプラントフィクスチャー１１とアバットメント１２とを締結するネジである。アバットメント締結用ネジ２０は、ネジ部２０ａ、胴部２０ｂ、及び頭２０ｃを有して構成されている。このようなアバットメント締結用ネジ２０は、公知のアバットメント締結用ネジと同じ構成にすることができる。
【００３５】
ネジ部２０ａは、インプラントフィクスチャー１１の内側に形成されたメネジ１１ｂに螺合するオネジが形成された部位である。
胴部２０ｂは、頭２０ｃとネジ部２０ａとを連結するネジのない部位で、円柱状で、ネジ部２０ａと概ね同じ直径である。
頭２０ｃは、ネジ部２０ａ及び胴部２０ｂよりも太く形成され、工具等によりアバットメント締結用ネジ２０を回転させる操作部として機能する部位である。また、図２からわかるように、頭２０ｃと胴部２０ｂとの直径の差を利用してアバットメント１２に係止して、アバットメント１２とインプラントフィクスチャー１１とを締結している。
【００３６】
歯科補綴物２１は、例えば人工歯冠のように歯列の欠損部を実質的に補う部材であり、歯牙を模した形状を有しており、歯牙の形状及び質感が再現されている。本形態で歯科補綴物２１は、上記したアバットメント１２の歯科補綴物挿入部１２ｂが挿入される穴２２が設けられている。この穴の内側に帯状突起１４も挿入される。図６〜図８には、穴２２の形状を説明するための図を示した。図６は穴２２の開口部における形状を表した図、図７は図６にＶＩＩ−ＶＩＩで示した歯科補綴物２１の矢視断面図、図８は図６にＶＩＩＩ−ＶＩＩＩで示した歯科補綴物２１の矢視断面図である。
【００３７】
図６〜図８よりわかるように、穴２２は第一の突出部２２ａ、第二の突出部２２ｂ、及び第三の突出部２２ｃを含まない部位で、その内径（直径）が、ＤＩである。このＤＩにアバットメントの歯科補綴物挿入部１２ｂ外径ＤＯ（図４参照）と同じになるように構成されている。
【００３８】
また、図６〜図８よりわかるように、穴２２の内周面には、その内径が小さくなるように突出した第一の突出部２２ａ、及び第二の突出部２２ｂを有している。さらに本形態では、さらにもう１つの突出部である第三の突出部２２ｃを有して構成されている。
【００３９】
これらは、第一の突出部２２ａは第一の切り欠き１４ａに、第二の突出部２２ｂは第二の切り欠き１４ｂに、及び、第三の突出部２２ｃは第三の切り欠き１４ｃにそれぞれ引っかかるように構成されている。これにより歯科補綴物２１が軸線中心に回転することを防ぐ回り止めとして機能する。
これら第一の突出部２２ａ、第二の突出部２２ｂ、及び第三の突出部２２ｃは、図７、図８からわかるように、軸線方向に所定の範囲まで延びるように設けられている。これによりアバットメント１２と歯科補綴物２１との軸線方向における位置にずれが生じても、確実に両者が係合することができる。
【００４０】
以上のような歯科用インプラント１０は、例えば次のように組み上げられる。
顎骨に埋設されたインプラントフィクスチャー１１に対して、図２に表れているようにアバットメント１２のインプラントフィクスチャー挿入部１２ａをインプラントフィクスチャー１１の内側に挿入する。そして、アバットメント締結用ネジ２０をネジ部２０ａがインプラントフィクスチャー１１側を向くようにしてアバットメント１２に挿入し、工具で頭２０ｃを回転操作することにより、インプラントフィクスチャー１１の内側に形成されたメネジ１１ｂにアバットメント締結用ネジ２０のネジ部２０ａに形成されたオネジを螺合させる。このとき、アバットメント締結用ネジ２０の頭２０ｃがアバットメント１２のインプラントフィクスチャー挿入部１２ａの段差に引っ掛かり、アバットメント１２とインプラントフィクスチャー１１とが締結される。
【００４１】
そして、アバットメント１２のうち、歯科補綴物挿入部１２ｂを歯科補綴物２１の穴２２に挿入する。このとき、アバットメント１２に歯科補綴物２１をがたつき無く適切に挿入するために、アバットメント１２の帯状突起１４に形成された第一の切り欠き１４ａ、第二の切り欠き１４ｂ、及び間部１４ｄの少なくとも１つを削ることで調整することができる。図９に当該削られた場面を表した。図９（ａ）は間部１４ｄを削った例、図９（ｂ）は第一の切り欠き１４ａ、及び第二の切り欠き１４ｂを広げるように削った例である。
このように、本発明によれば、がたつきを容易に調整することができる。
【００４２】
なお、歯科補綴物挿入部１２ｂを最終的に歯科補綴物２１の穴２２に挿入する際には、帯状突起１４により歯科補綴物２１の穴２２の内面とアバットメント１２の外周面（帯状突起以外の部分）との間に間隙が形成されているので、ここに歯科用接着剤を充填させるようにし、アバットメント１２と歯科補綴物２１とを強固に固定させる。
【符号の説明】
【００４３】
１０  歯科用インプラント
１１  インプラントフィクスチャー（人工歯根）
１２  アバットメント
１４  帯状突起
１４ａ  第一の切り欠き
１４ｂ  第二の切り欠き
１４ｃ  第三の切り欠き
１４ｄ  間部
２０  アバットメント締結用ネジ
２１  歯科補綴物
２２  穴
２２ａ  第一の突出部
２２ｂ  第二の突出部
２２ｃ  第三の突出部
【図１】
2018033678.tif 000003
【図２】
2018033678.tif 000004
【図３】
2018033678.tif 000005
【図４】
2018033678.tif 000006
【図５】
2018033678.tif 000007
【図６】
2018033678.tif 000008
【図７】
2018033678.tif 000009
【図８】
2018033678.tif 000010
【図９】
2018033678.tif 000011